(57)【要約】      （修正有）【課題】襟飾りの本体部の上半部に装設するメッシュまたはレースの生地よりなる通気部を、簡単な工程により構成し得る襟飾りを提供する。【解決手段】襟飾りの本体部の下半部ａ１を、メッシュまたはレース等の通気性の良い生地Ｋを用いて形成し、本体部の上半部ａ２に形成する通気部ｃを、本体部の下半部ａ１を形成する通気性の良い生地Ｋを用いて本体部の下半部ａ１と連続させた状態に形成する。【選択図】図６
0003193353.tif 000002
【実用新案登録請求の範囲】
【請求項１】
着装したときに、開襟したシャツの襟元の開放部の前面に位置してくる襟飾りの本体部の上半部を、網織りのメッシュまたは透かし模様織りのレース等の通気性の良い生地により通気部に形成している襟飾りにおいて、着装したときに、開襟したシャツの襟元の開放部より下方の胸元の前面に位置してくる襟飾りの本体部の下半部を、網織りのメッシュまたは透かし模様織りのレース等の通気性の良い生地を用いて形成し、本体部の上半部に形成する通気部を、本体部の下半部を形成する生地と共布の通気性の良い生地により本体部の下半部と連続させた状態に形成することを特徴とする襟飾り。
【請求項２】
前記襟飾りの本体部の上半部に装設する通気部は、本体部の下半部を形成する網織りのメッシュまたは透かし模様織りのレース等の通気の良い生地を、上方に延長し、本体部の上半部の形状に対応する形状に整形して通気部表生地に形成し、その通気部表生地の表面側に、生地と共布の生地から裁断して整形した通気部裏生地を重合し、周縁を、下縁と左右の側縁の一部とを残して、前記通気部表生地の周縁に、袋縫いに縫い合わせ、これの裏返しにより通気部裏生地を通気部表生地の裏面側に位置せしめ、下縁を本体部の下半部の上縁部位に縫い合わせて、通気部を内部に整形用の骨組みを装入し得る袋状に構成したことを特徴とする請求項１記載の襟飾り。
【考案の詳細な説明】
【技術分野】
【０００１】
本考案は、洋服の襟元に着装するネクタイ・ブローチ等の襟飾りのうちで、着装する洋服の襟元部を開襟の状態としたところに、その開襟とした状態を保持せしめるように着装し、かつ、着装により、開襟の状態となっている襟元部位の前面に、網織り、または透かし織りに編成して通気性を良くした生地よりなる通気部が位置してくるように構成してある形態の襟飾りについての改良に関する。
【背景技術】
【０００２】
洋服の襟元部に着装する襟飾りのうちで、着装する洋服のシャツの襟元部を開襟の状態としたところに、その開襟とした襟元部を、開襟の状態に保持せしめるように着装し、かつ、着装したときに、シャツの開襟の状態とした襟元部の前面側の部位に、網織り、透かし模様織りにより通気性を良くした生地により形成してある襟飾りの通気部が位置してくるようになる形態の襟飾りは、実用新案登録第３１９１０６０号公報、同第３１９１０６１号公報にあるように、本願の出願人が既に開発して公知のものとなっている。
【０００３】
この形態の襟飾りは、図１及び図２に示している如く、シャツ１の胸元の第１ボタン２を外して開襟の状態とした襟元部位に着装する襟飾りであり、着装により、シャツ１の襟元部を開襟とした状態に保持せしめるとともに、シャツ１を開襟の状態としたことで、そのシャツ１の襟元部に形成される開放部Ｙを、着装した襟飾りＡの本体部ａの上半部ａ２で塞ぐようにし、かつ、このシャツ１の襟元の開放部Ｙを塞ぐ襟飾りＡの本体部ａの上半部ａ２を、網織りのメッシュまたは透かし模様織りのレース等の通気性の良い生地により通気が良好に行われる通気部ｃに構成しておいて、襟飾りＡを着装したときに、開襟の状態とすることで形成されたシャツの襟元の開放部Ｙの通気性の良さを、その開放部を塞ぐようになる襟飾りの本体部の上半部が、損なうことのないようにしている襟飾りである。
【０００４】
このような形態の襟飾りは、襟飾りを製作するときに、生地材料として、襟飾りの本体部の下半部を構成するための、所定形状に裁断したネクタイ生地の他に、この通気部ｃを構成するための、所定形状に裁断したメッシュまたはレースの生地を別生地として用意しなければならないこと、そして、この用意した別生地のメッシュまたはレースの生地を、ネクタイ生地で作り上げる襟飾りの本体部の下半部の縫製工程とは、別の縫製工程をもって通気部に作り上げなければならないこと、さらに、作り上げた通気部を、通常のネクタイ生地により別工程で縫製しておいた襟飾りの本体部の下半部に対して縫い合わせにより接続しなければならないことから、製作工程が面倒で、製作コストが嵩む問題がある。
【０００５】
さらに、通気部は、それを構成するメッシュまたはレースの生地が柔軟でこしがないことから、所定の形状に整形保持せしめるために、内部に、鋼線または樹脂材で成形した骨組みを組み込み収蔵せしめるが、この骨組みの組み込みの作業が面倒で、製作の作業を厄介なものとしている問題がある。
【先行技術文献】
【特許文献】
【０００６】
【特許文献１】実用新案登録第３１９１０６０号公報
【特許文献２】実用新案登録第３１９１０６１号公報
【考案の概要】
【考案が解決しようとする課題】
【０００７】
本考案は、上述の形態の襟飾りに生じている上述した問題を解決するためになされたものであって、着装したときに、開襟としたシャツの襟元に形成される開放部の前面に位置してくる襟飾りの本体部の上半部に装設するメッシュまたはレースの生地よりなる通気部が、簡単な工程により構成し得るようにする手段を提供することを課題とする。
【課題を解決するための手段】
【０００８】
そして、本考案においては、この課題を解決するための手段として、着装したときに、開襟したシャツの襟元の開放部の前面に位置してくる襟飾りの本体部の上半部を、網織りのメッシュまたは透かし模様織りのレース等の通気性の良い生地により通気部に形成している襟飾りにおいて、着装したときに、開襟したシャツの襟元の開放部より下方の胸元の前面に位置してくる襟飾りの本体部の下半部を、網織りのメッシュまたは透かし模様織りのレース等の通気性の良い生地を用いて形成し、本体部の上半部に形成する通気部を、本体部の下半部を形成する生地と共布の通気性の良い生地により本体部の下半部と連続させた状態に形成することを特徴とする襟飾りを提起するものである。
また、これに併せて、前記の襟飾りにおいて、襟飾りの本体部の上半部に装設する通気部は、本体部の下半部を形成する網織りのメッシュまたは透かし模様織りのレース等の通気の良い生地を、上方に延長し、本体部の上半部の形状に対応する形状に整形して通気部表生地に形成し、その通気部表生地の表面側に、生地と共布の生地から裁断して整形した通気部裏生地を重合し、周縁を、下縁と左右の側縁の一部とを残して、前記通気部表生地の周縁に、袋縫いに縫い合わせ、これの裏返しにより通気部裏生地を通気部表生地の裏面側に位置せしめ、下縁を本体部の下半部の上縁部位に縫い合わせて、通気部を内部に整形用の骨組みを装入し得る袋状に構成したことを特徴とする襟飾りを提起するものである。
【考案の効果】
【０００９】
本考案による襟飾りは、襟飾りの本体部の下半部を、網織りのメッシュまたは透かし模様織りのレース等の通気性の良い生地を用いて構成しておいて、本体部の上半部に、通気性の良い生地で通気部を装設するときに、本体部の下半部を構成する通気性の良い生地を共布として用いて通気部を構成し得るようにしていることから、襟飾りを作るときに、メッシュまたはレース等の通気性の良い生地を一種類の生地を用意しておけば足りるようになり、しかも、通気部を装設する作業・工程を簡略にするので、製作コストを低減させ得る。また、第２の手段においては、通気部を所定の形状に整形保持せしめるための骨組みの組み込みが、通気部の、通気部表生地と、通気部裏生地とを重合せしめて周縁を袋縫いに縫い合わせ、これを裏返しにすることで、通気部を袋状に形成して、通気部表生地の通気部裏生地と、の間に形成される空間内に、骨組みが簡単に装入でき、また装入した骨組みの組み付けが行えるようにしていることから、この骨組みの通気部内への組み込みが簡単な作業により行えるようになる。
【図面の簡単な説明】
【００１０】
【図１】本考案による襟飾りを着装するシャツの襟元部の正面図である。
【図２】同上シャツの、襟元の第１ボタンを外して、襟元に開放部を形成した状態の正面図である。
【図３】同上シャツの襟元に着装する従前の襟飾りの、着装前の状態における正面図である。
【図４】同上の襟飾りを、同上シャツの襟元に着装した状態の正面図である。
【図５】本考案を実施せる襟飾りの、シャツの襟元部に着装した状態の正面図である。
【図６】本考案を実施せる襟飾りの、着装前の状態時の表面側視における斜視図である。
【図７】同上の襟飾りの、裏面側視における斜視図である。
【図８】同上の襟飾りを形成するための、網織りのメッシュまたは透かし模様織りのレース等からなる通気性の良い生地から型どり裁断して形成した素材生地の表側生地と裏側生地とを展開した正面図である。
【図９】同上の素材生地の、襟飾りの本体部の下半部の表側を構成する部位の表側生地の裏側に裏側生地を折り返して縫い合わせた状態時の裏面側視の背面図である。
【図１０】同上状態時の素材生地の、襟飾りの本体部の上半部を形成する部位の裏側に重合せしめて縫い合わせるために、前記素材生地と共布の生地を用いて、本体部の上半部に形成する通気部の形状と対応する形状に型どり整形した通気部裏側生地及び本体部の上半部の上縁部位における左右の角状部の内部に装入する芯材の正面図である。
【図１１】通気部の形状を整形するために、ステンレススチール等の鋼線または合成樹脂材により成形して、通気部の内部に装入して組み込む骨組み、及び通気部の左右の肩部に、連続する角状に突出するように設けられる取付帯部の内部に装入するボタンホール、ボタンの取り付けのための芯材の正面図である。
【図１２】別の実施例における、表側生地と裏側生地との展開した正面図である。
【考案を実施するための形態】
【００１１】
次に本考案の実施の態様を、実施例につき図面に従い詳述する。
【実施例１】
【００１２】
図５は本考案を実施せる襟飾りの、開襟としたシャツの襟元部に装着した状態時の正面図であり、図６は同上の襟飾りの着装前の状態時の、表面側視における斜視図、図７は同上襟飾りの、同上状態時の裏面側視における斜視図であって、これら図において、Ａは襟飾りの全体、ａはその襟飾りＡの本体部、ｂは、本体部ａの左右の肩部に、左右にそれぞれ突出するように設けた着装用の取付帯部、ｃは本体部ａの上半部に装設せる網織りのメッシュまたは透かし模様織りのレース等の通気性が良好な生地よりなる通気部を示している。
【００１３】
襟飾りＡは、着装によりシャツ１の襟元部から胸さきに垂れ下がって飾りの本体となる本体部ａと、襟飾りＡをシャツ１の襟本部に着装するために、本体部ａの上縁側の左右の肩部から左右に角状に突出する取付帯部ｂと、着装したときに、シャツ１の襟元部への通気が良好に行われるようにするために、本体部ａの上半部にメッシュまたはレース等の通気性の良好な生地よりなる通気部ｃと、を備える形態のものとして作ることについては、従前のこの種の形態の襟飾りと同様であるが、この実施例の本考案手段における襟飾りＡにあっては、襟飾りＡの本体部ａの下半側を、メッシュまたはレース等の通気性の良好な生地Ｋを、用いて形成している。
【００１４】
そして、この本体部ａの下半部ａ１を形成する通気性の良い生地Ｋを、厚反生地から形成しようとする本体部ａの下半部ａ１の形状と適合する形状に型どり裁断して成形するときに、図８に示している如く、型どり裁断した本体部ａの下半部ａ１の生地の上方に、本体部ａの上半部ａ２を形成するための、通気性の良い生地Ｋ１が、下半部ａ１を形成する生地Ｋと連続して位置するように、型どり裁断しておき、これにより、本体部ａの下半部ａ１を、型どり裁断した生地から形成するときに、本体部ａの上半部ａ２に通気部ｃを装設する作業が、本体部ａの下半部ａ１を形成する作業に連続して行えるようにし、また、本体部ａの上半部ａ２に装設する通気部ｃを形成するための通気性の良い生地Ｋ１が、本体部ａの下半部ａ１を形成する生地Ｋを、共布に用い、しかも、その本体部ａの下半部ａ１を形成する生地Ｋと連続する態様で用いられるようにしている。
【００１５】
しかして、本体部ａの上半部ａ２に装設する通気部ｃは、この実施例においては、前述した如く、所定の形状に型どり裁断した本体部ａの下半部ａ１を形成する生地Ｋの上方に、連続する形態として型どり裁断して形成した生地Ｋ１に対し、図１０に示している如く、前記本体部ａの下半部ａ１の形成に用いた生地から、前記生地Ｋ１と対応して重合する形状に型どり裁断して形成した通気部裏生地Ｋ’１を重ねて、周縁を、左右の側縁のうちの一方の側縁と下縁とを残して、袋縫いに縫い合わせ、縫い合わせたところで、縫い残しておいた開放部から、裏返しに反転させて、この通気部裏生地Ｋ’１と、本体部ａの下半部ａ１に連続させて形設せる生地Ｋ１と、により袋状の通気部ｃに形成し、これの内部に、図１１に示している如く、ステンレススチールの線材または合成樹脂材により、本体部ａの上半部ａ２の形状に対応する形状に組み立て成型した骨組みＳを、装入して組み付け、縫い残していた部位を縫い合わせることで、通気部ｃが構成されるようにしている。
【００１６】
この通気部ｃを構成するための、通気部裏生地Ｋ’１は、本体部ａの下半部ａ１の上方に連続する態様で形成する生地Ｋ１の左右の側縁部に、左右方向に張り出すように連続する態様に形成しておいて、通気部ｃを形成するときに、この通気部裏生地Ｋ’１を、内側に折り返して、本体部ａの下半部ａ１の上方に形設した生地Ｋ１の裏側に重合させ、周縁部に形成しておく縫い代Ｎを、前記生地Ｋ１の周縁に形成しておく縫い代Ｎと縫い合わせることで、通気部ｃとなる本体部ａの上半部ａ２を構成するようにする場合がある。
【００１７】
この場合は、通気部裏生地Ｋ’１と、本体部ａの下半部ａ１の上方に形成しておく生地Ｋ１との縫い合わせに、裏返しておいて縫い合わせる袋縫いを行うことができないので、縫い代Ｎが表面側に出てくるようになる。
【００１８】
本体部ａの上半部ａ２の左右の肩部に、左右の外側に向け角状に突出するように設ける取付帯部ｂは、襟飾りＡを、開襟としたシャツ１の襟元部に装着するときに、シャツ１の襟元の立ち代１０の外面に当接せしめて、マジックテープ（登録商標）などの係着部材を用いる係着手段により係着することで、襟飾りＡをシャツ１の襟元部に装着するためのものであり、この実施例においては、先行技術文献として提示している実用新案登録第３１９１０６０号公報に記載の従前の襟飾りにおいて用いられている係着手段を、そのまま利用して、襟飾りＡの装着を行うようにしている。
【００１９】
即ち、左右の取付帯部ｂ・ｂのうちの、一方の取付帯部ｂには、襟元の第１ボタン２を外して開襟の状態としたシャツ１の、その外した第１ボタン２と対向する部位に、その第１ボタン２を嵌め合わせ得る係止用のボタンホール２０’を装設しておき、他方の取付帯部ｂには、第１ボタン２が嵌められていたボタンホール２０と対向する部位に、そのボタンホール２０に対して嵌め合わせ得る係止用のボタン３を付設しておいて、これら係止用のボタンホール２０’及び係止用のボタン３を、シャツ１の外した第１ボタン２及び、第１ボタン２を外すことで遊びとなった第１ボタン２のボタンホール２０とに嵌め合わせることで、取付帯部ｂ・ｂのシャツ１の立ち代１０に対する係着が行われるようにしている。
【００２０】
また、図１０において、符号Ｐにより指示している部材は、取付帯部ｂ・ｂに、上述した如く、係止用のボタンホール２０’及び係止用のボタン３を装設するときに、その装設するボタンホール２０’の補強とボタン３の取り付けの補強を行わすために取付帯部ｂ・ｂ内に埋設しておく、厚手の生地よりパット状に形成した芯材であり、骨組みＳを、通気部ｃの内腔に装入して組み付けるときに、その骨組みＳの左右の角状に突出する部位に、嵌め込むように設けておいて、通気部ｃを組み立て構成し、これにより、取付帯部ｂ・ｂに設けるボタンホール２０とボタン３が、実質的にはこの芯材Ｐに対して行われるようにしている。
【符号の説明】
【００２１】
Ａ      襟飾り
Ｋ      下半部を形成する生地
Ｋ１    通気性の良好な生地
Ｋ’１  通気部裏生地
Ｐ      芯材
Ｎ      縫い代
Ｓ      骨組み
Ｙ      開放部
ａ      本体部
ａ１    下半部
ａ２    上半部
ｂ      取付帯部
ｃ      通気部
１      シャツ
２      第１ボタン
３      係止用のボタン
１０      立ち代
２０      ボタンホール
２０’    係止用のボタンホール
【図１】
0003193353.tif 000003
【図２】
0003193353.tif 000004
【図３】
0003193353.tif 000005
【図４】
0003193353.tif 000006
【図５】
0003193353.tif 000007
【図６】
0003193353.tif 000008
【図７】
0003193353.tif 000009
【図８】
0003193353.tif 000010
【図９】
0003193353.tif 000011
【図１０】
0003193353.tif 000012
【図１１】
0003193353.tif 000013
【図１２】
0003193353.tif 000014